Podtech/llm-jp-corpus-v4-ja_patent huggingface dataset:
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
第１のブロックをスキャンするためのスキャン順序をコンピューティングデバイスにより特定することであって、前記第１のブロックが変換符号化モードに関連付けられており、関連するサイズおよび関連する予測モードを有する、ことと、
非変換符号化モードに関連付けられた第２のブロックを前記コンピューティングデバイスにより特定することであって、前記第２のブロックが、前記第１のブロックと同じ画像の一部であり、前記第１のブロックと同じ関連するサイズおよび同じ関連する予測モードを有する、ことと、
前記第２のブロックに関連付けられた前記予測モードと前記第２のブロックに関連付けられた前記サイズとに基づいて、前記第１のブロックをスキャンするための前記スキャン順序とは逆のスキャン順序に従って前記第２のブロックをスキャンするか否かを決定することであって、前記予測モードがイントラ予測モードであり、かつ、前記サイズが所定のサイズより小さい場合、前記第２のブロックは前記逆のスキャン順序に従ってスキャンされる、ことと、
前記予測モードがイントラ予測モードであり、かつ、前記サイズが前記所定のサイズより小さいと判定することに応答して、前記逆のスキャン順序に従って前記第２のブロックを前記コンピューティングデバイスによりスキャンすることと
を備える、方法。
【請求項２】
前記第１のブロックを操作するための前記スキャン順序は、前記第１のブロックの前記予測モードまたは前記第１のブロックの前記サイズの少なくとも１つに関連付けられている、ブロックのデフォルトのスキャン順序を含む、請求項１に記載の方法。
【請求項３】
変換された第１のブロックを符号化する際に使用される第１のスキャン順序を特定することであって、前記第１のブロックが関連するサイズおよび関連する予測モードを有する、ことと、
前記第１のスキャン順序または前記第１のスキャン順序の逆の第２のスキャン順序のいずれに従って第２の、非変換ブロックを符号化すべきかを、前記非変換ブロックの予測モードおよび前記非変換ブロックのサイズに基づいて判定することであって、前記第２のブロックが、前記第１のブロックと同じ画像の一部であり、前記第１のブロックと同じサイズおよび同じ予測モードを有し、前記非変換ブロックの前記予測モードがイントラ予測モードであり、かつ、前記非変換ブロックの前記サイズが所定のサイズより小さい場合、前記非変換ブロックは前記第２のスキャン順序に従ってスキャンされる、ことと、
前記非変換ブロックの前記予測モードがイントラ予測モードであり、かつ、前記非変換ブロックの前記サイズが前記所定のサイズより小さい場合、前記第２のスキャン順序に従って前記非変換ブロックを符号化し、それ以外の場合、前記第１のスキャン順序に従って前記非変換ブロックを符号化することと
を含む動作を実施するように実行時に１つまたは複数のプロセッサに指示するコンピュータ可読命令を格納した１つまたは複数のコンピュータ記憶媒体。
【請求項４】
前記符号化することが、
前記第１のスキャン順序または前記第２のスキャン順序に従って前記非変換ブロックの残差情報の２次元配列をスキャンして、残差情報の１次元配列を生成することと、
残差情報の前記１次元配列をエントロピー符号化することと
を含む、請求項３に記載の１つまたは複数のコンピュータ記憶媒体。
【請求項５】
前記符号化することが、前記２次元配列をスキャンする前に、前記残差情報を量子化することをさらに含む、請求項４に記載の１つまたは複数のコンピュータ記憶媒体。
【請求項６】
１つまたは複数のプロセッサと、
前記１つまたは複数のプロセッサにより少なくとも部分的に実装された符号化コンポーネントであって、
第１のスキャン順序に従って変換符号化に関連付けられたブロックをエントロピー符号化し、
非変換符号化に関連付けられたブロックであって、変換符号化に関連付けられた前記ブロックの少なくとも１つと同じ画像の一部であり、同じ関連するサイズおよび同じ関連する予測モードを有するブロックを特定し、
（ｉ）非変換符号化に関連付けられた前記ブロックの前記予測モード、および（ｉｉ）非変換符号化に関連付けられた前記ブロックの前記サイズを決定し、
非変換符号化に関連付けられた前記ブロックの前記予測モードがイントラ予測モードであり、かつ、前記非変換符号化に関連付けられた前記ブロックの前記サイズが特定のサイズより小さい場合、前記第１のスキャン順序とは逆の第２のスキャン順序に従って並べられた前記ブロックの副単位を用いて、非変換符号化に関連付けられた前記ブロックをエントロピー符号化し、それ以外の場合、前記第１のスキャン順序に従って並べられた前記ブロックの副単位を用いて、非変換符号化に関連付けられた前記ブロックをエントロピー符号化する
ように構成された符号化コンポーネントと
を備える、システム。
【請求項７】
非変換符号化に関連付けられた前記ブロックが、高効率ビデオ符号化規格により定義された変換単位を含む、請求項６に記載のシステム。
【請求項８】
前記符号化コンポーネントは、エンコーダまたはデコーダの少なくとも１つを含む、請求項６に記載のシステム。
【請求項９】
前記１つまたは複数のプロセッサに通信可能に結合され、前記符号化コンポーネントを格納するメモリをさらに備える、請求項６に記載のシステム。
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
エンドエフェクタ（１０２）を構造体に結合させるためのベースアセンブリ（１０４）であって、前記ベースアセンブリは、
前記エンドエフェクタ（１０２）に結合するように構成された第１の面（１０６）、及び反対側の第２の面（１０８）、
前記第２の面（１０８）上に配置された少なくとも１つの空洞（１３０）、並びに
前記少なくとも１つの空洞（１３０）と連通するように結合された、吸引モード及び排出モードで作動可能な少なくとも１つの空気圧発生器（１４０）を備え、
前記少なくとも１つの空洞（１３０）を有する前記第２の面（１０８）は、前記吸引モードにある前記少なくとも１つの空気圧発生器（１４０）によって引き起こされた真空力を介して、前記構造体（１２、１４）の表面（１６）にしっかりと結合可能であり、かつ
前記少なくとも１つの空洞（１３０）を有する前記第２の面（１０８）は、前記排出モードにある前記少なくとも１つの空気圧発生器（１４０）によって引き起こされたエアークッションを介して、前記表面（１６）上を実質的に摩擦抵抗なく移動可能であり、
前記ベースアセンブリは更に、
前記ベースアセンブリ（１０４）の前記第２の面（１０８）及び前記ベースアセンブリ（１０４）の前記第２の面（１０８）の反対側のベースプレートの第１の面（２０６）を含むベースプレート（２００）、並びに
前記ベースアセンブリ（１０４）の前記第１の面（１０６）及び前記ベースアセンブリ（１０４）の前記第１の面（１０６）の反対側のインターフェースプレートの第２の面（２０８）を含むインターフェースプレート（２０２）を備え、前記インターフェースプレート（２０２）は、前記ベースプレートの第１の面（２０６）が前記インターフェースプレートの第２の面（２０８）と実質的に面対面の関係になるように、前記ベースプレート（２００）に取り外し可能に結合するように構成される、ベースアセンブリ。
【請求項２】
前記ベースアセンブリ（１０４）の前記第２の面（１０８）は、前記第２の面（１０８）からぶら下がり、前記少なくとも１つの空洞（１３０）を画定する少なくとも１つのカップ形状部分（１３２）を含む、請求項１に記載のベースアセンブリ。
【請求項３】
前記少なくとも１つの空気圧発生器（１４０）を前記吸引モードと前記排出モードとの間で選択的にスイッチするように構成された制御部（２６６）を更に備え、前記制御部（２６６）は、前記少なくとも１つの空気圧発生器（１４０）を前記吸引モードから前記排出モードへスイッチするためにほぼ同時に起動されるべき２つのスイッチを備える、請求項１に記載のベースアセンブリ。
【請求項４】
複数の取り外し可能なコネクタ（２１０）であって、各々が、前記ベースプレート（２００）及び前記インターフェースプレート（２０２）のうちの一方に配置され、かつ前記ベースプレート（２００）及び前記インターフェースプレート（２０２）のうちの他方に取り外し可能に結合するように構成された、複数の取り外し可能なコネクタ（２１０）を更に備える、請求項１から３のいずれか一項に記載のベースアセンブリ。
【請求項５】
前記複数の取り外し可能なコネクタ（２１０）の各々は、ロック位置と受け入れ位置との間で旋回可能である、請求項４に記載のベースアセンブリ。
【請求項６】
前記複数の取り外し可能なコネクタ（２１０）のうちの少なくとも１つは、前記インターフェースプレート（２０２）を前記ベースプレート（２００）に対して位置付けるために、前記ベースプレート（２００）及び前記インターフェースプレート（２０２）のうちの前記他方のテーパ表面と協働するように構成されたテーパ部分を備える、請求項５に記載のベースアセンブリ。
【請求項７】
エンドエフェクタシステムに付属して含まれるベースアセンブリであって、前記エンドエフェクタシステムは、
少なくとも１つの第２の結合システムを備え、各々の前記少なくとも１つの第２の結合システムが、第２の結合システムの真空力を介して前記表面に取り外し可能に結合可能な第２の結合システムの空洞を画定する、請求項１から６のいずれか一項に記載のベースアセンブリ。
【請求項８】
前記少なくとも１つの空気圧発生器（１４０）を前記吸引モードと前記排出モードとの間で選択的にスイッチするように構成された制御部（２６６）を更に備える、請求項７に記載のベースアセンブリ。
【請求項９】
前記制御部（２６６）は、前記少なくとも１つの空気圧発生器（１４０）を前記吸引モードから前記排出モードへスイッチするためにほぼ同時に起動されるべき２つのスイッチを備える、請求項８に記載のベースアセンブリ。
【請求項１０】
エンドエフェクタ（１０２）を構造体に結合させるためのベースアセンブリ（１０４）を作る方法であって、前記方法は、
前記エンドエフェクタ（１０２）に結合するように前記ベースアセンブリ（１０４）の第１の面（１０６）を構成すること、
前記第１の面（１０６）の反対側の前記ベースアセンブリ（１０４）の第２の面（１０８）上に少なくとも１つの空洞（１３０）を配置すること、並びに
前記少なくとも１つの空洞（１３０）と連通するように、吸引モード及び排出モードで作動可能な少なくとも１つの空気圧発生器（１４０）を結合させることを含み、
前記少なくとも１つの空洞（１３０）を有する前記第２の面（１０８）は、前記吸引モードにある前記少なくとも１つの空気圧発生器（１４０）によって引き起こされた真空力を介して、前記構造体（１２、１４）の表面（１６）にしっかりと結合可能であり、かつ
前記少なくとも１つの空洞（１３０）を有する前記第２の面（１０８）は、前記排出モードにある前記少なくとも１つの空気圧発生器（１４０）によって引き起こされたエアークッションを介して、前記表面（１６）上を実質的に摩擦抵抗なく移動可能であり、
前記方法は更に、
ベースプレートの第１の面がインターフェースプレートの第２の面と実質的に面対面の関係になるように、前記ベースプレートに取り外し可能に結合するようにインターフェースプレートを構成することを含み、前記ベースプレートは、前記ベースアセンブリの前記第２の面及び前記ベースアセンブリの前記第２の面の反対側の前記ベースプレートの第１の面を含み、前記インターフェースプレートは、前記ベースアセンブリの前記第１の面及び前記ベースアセンブリの前記第１の面の反対側の前記インターフェースプレートの第２の面を含む、方法。
【請求項１１】
前記ベースアセンブリの前記第２の面上に前記少なくとも１つの空洞を配置することは、前記ベースアセンブリの前記第２の面からぶら下がり、前記少なくとも１つの空洞を画定する少なくとも１つのカップ形状部分を配置することを含む、請求項１０に記載の方法。
【請求項１２】
前記少なくとも１つの空気圧発生器（１４０）を前記吸引モードと前記排出モードとの間で選択的にスイッチするように構成された制御部（２６６）を、前記少なくとも１つの空気圧発生器（１４０）に作動可能に結合させることを更に含む、請求項１０又は１１に記載の方法。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
基板と、
前記基板の下に配置され、第１導電型半導体層、活性層及び第２導電型半導体層を含む発光構造物と、
複数のコンタクトホールを介して露出された前記第１導電型半導体層と連結された第１電極と、
前記第２導電型半導体層と連結された第２電極と、
前記発光構造物の下から前記発光構造物の側部と前記第１電極との間の空間まで延長されて配置されて光を反射させる第１絶縁層と、
前記第１絶縁層の下に配置され、前記第１電極全体の下に配置された反射層とを含み、
前記反射層は前記発光構造物が前記基板と対向する第１方向に前記複数のコンタクトホールの全てと重畳する、発光素子パッケージ。
【請求項２】
前記反射層は、前記第１電極または前記第２電極のうち少なくとも一つの下までさらに延長されて配置された、請求項１に記載の発光素子パッケージ。
【請求項３】
前記第１及び第２電極とそれぞれ連結された第１及び第２パッドと、
前記反射層と前記第２パッドとの間に配置された第２絶縁層をさらに含む、請求項１又は２に記載の発光素子パッケージ。
【請求項４】
前記第２電極をＡｇを含み、前記第２絶縁層はＳｉＯ２を含む、請求項３に記載の発光素子パッケージ。
【請求項５】
前記第２絶縁層は分散ブラッグ反射層を含む、請求項３又は請求項４に記載の発光素子パッケージ。
【請求項６】
前記第１パッドは、前記反射層と連結された、請求項３に記載の発光素子パッケージ。
【請求項７】
前記第１電極、前記反射層または前記第１パッドのうち少なくとも二つは、同一の物質を含む、請求項３乃至６のいずれか１項に記載の発光素子パッケージ。
【請求項８】
前記第１電極は、前記反射層と連結された、請求項１乃至７のいずれか１項に記載の発光素子パッケージ。
【請求項９】
前記第１絶縁層は、分散ブラッグ反射層を含む、請求項１乃至８のいずれか１項に記載の発光素子パッケージ。
【請求項１０】
前記第１絶縁層は、
前記発光構造物の下に配置される第１部分と、
前記第１電極と前記発光構造物の側部との間に配置され、前記第１部分に延長された第２部分とを含み、
前記反射層は前記第２電極の下までさらに延長されて配置される、請求項３に記載の発光素子パッケージ。
【請求項１１】
前記第１絶縁層の前記第２部分は前記コンタクトホール内で前記第１電極の両側に接して配置された断面形状を有する、請求項１０に記載の発光素子パッケージ。
【請求項１２】
前記第２絶縁層は前記第２電極及び前記第１絶縁層の前記第１部分と前記第１方向に重畳する、請求項１０又は１１に記載の発光素子パッケージ。
【請求項１３】
前記第１絶縁層の前記第２部分と前記発光構造物の側部間の空間から前記発光構造物の下部まで延長されて配置されたパッシベーション層をさらに含む、請求項１０乃至１２のいずれか１項に記載の発光素子パッケージ。
【請求項１４】
前記第１絶縁層の前記第１部分は前記第２電極の下に配置され、前記第１方向に第１厚さを有し、
前記第１絶縁層の前記第２部分は前記コンタクトホール内で前記第２方向に第２厚さを有し、
前記第１厚さは前記第２厚さと違う、請求項１０乃至１３のいずれか１項に記載の発光素子パッケージ。
【請求項１５】
前記第２厚さは、前記第１厚さより薄い、請求項１４に記載の発光素子パッケージ。
【請求項１６】
前記反射層は、
前記第１電極と連結され、前記第１方向に前記第１絶縁層の前記第２部分と重畳する第１部分と、
前記第１部分から前記第１方向とは違う第２方向に延長され、前記第２電極によって覆われないで露出された前記第２導電型半導体層の下部面及び前記第１絶縁層の前記第１部分と前記第１方向に重畳する第２部分と、
前記第２方向に前記第２部分から延長され、前記第２電極及び前記第１絶縁層の前記第１部分と前記第１方向に重畳し、前記反射層の端部に相当する第３部分とを含む、請求項１０乃至１５のいずれか１項に記載の発光素子パッケージ。
【請求項１７】
前記第２電極と重畳する前記反射層の前記第３部分の幅の最小値は、２ｕｍである、請求項１６に記載の発光素子パッケージ。
【請求項１８】
前記反射層の前記第３部分は、前記発光構造物と前記第１方向に重畳する、請求項１６又は１７に記載の発光素子パッケージ。
【請求項１９】
前記反射層の厚さは１００ｎｍ乃至５００ｎｍである、請求項１乃至１８のいずれか１項に記載の発光素子パッケージ。
【請求項２０】
前記第２電極の厚さは１００ｎｍ乃至１０００ｎｍである、請求項１乃至１９のいずれか１項に記載の発光素子パッケージ。
【請求項２１】
前記第２電極と前記第２導電型半導体層との間に配置された投光電極層をさらに含む、請求項１乃至２０のいずれか１項に記載の発光素子パッケージ。
【請求項２２】
前記第１及び第２パッドとそれぞれ連結され、電気的に互いに離隔された第１及び第２はんだ部と、
前記第１及び第２はんだ部にそれぞれ連結され、電気的に互いに離隔された第１及び第２リードフレームをさらに含む、請求項３乃至７及び請求項１０乃至１８のいずれか１項に記載の発光素子パッケージ。
【請求項２３】
前記第１及び第２リードフレームと共にキャビティを形成するパッケージ本体をさらに含み、
前記基板と、前記発光構造物と、前記第１電極と、前記第２電極と、前記第１絶縁層と前記反射層は前記キャビティに配置された、請求項２２に記載の発光素子パッケージ。
【請求項２４】
請求項１乃至２３のいずれか１項に記載の発光素子パッケージを含む、照明装置。
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
テレビに含まれるチューナー回路において、
アンテナから受信される信号を遮断するため、
バイアス電圧に応答してターンオン／オフされるように構成されたスイッチング部と、
前記スイッチング部を通過した信号のうち高周波成分だけを通過させるハイパスフィルター部と、
前記ハイパスフィルター部を通過した信号を増幅して出力する低ノイズ増幅器と、を含み、
前記バイアス電圧は使用者により前記テレビがターンオンされる時に印加されることを特徴とするチューナー回路。
【請求項２】
前記スイッチング部はダイオード、第１抵抗及び第２抵抗を含み、
前記ダイオードは前記ダイオードのカソードが前記アンテナに向かい、前記ダイオードのアノードが前記ハイパスフィルター部に向かうように配置され、前記第１抵抗は前記ダイオードのカソードとグラウンドとの間に連結され、前記第２抵抗は前記ダイオードのアノードとバイアス電圧との間に連結されることを特徴とする請求項１に記載のチューナー回路。
【請求項３】
前記スイッチング部はダイオード及び抵抗を含み、
前記ダイオードのアノードが前記アンテナに向かうように配置され、前記ダイオードのカソードが前記ハイパスフィルター部に向かうように配置され、前記ダイオードのアノードと前記バイアス電圧との間に前記抵抗が連結されることを特徴とする請求項１に記載のチューナー回路。
【請求項４】
前記スイッチング部は、
前記テレビがターンオフされて、前記バイアス電圧が印加されないと、前記アンテナから受信された前記信号を前記ハイパスフィルター部に送信することを遮断するように前記ダイオードがターンオフされることを特徴とする請求項２または３に記載のチューナー回路。
【請求項５】
前記スイッチング部は、
前記テレビがターンオンされて前記バイアス電圧が印加されると、前記アンテナから受信された前記信号を前記ハイパスフィルター部に送信するように前記ダイオードはターンオンされることを特徴とする請求項２乃至４のうちいずれか一つに記載のチューナー回路。
【請求項６】
前記バイアス電圧は前記第２抵抗に印加されることを特徴とする請求項２に記載のチューナー回路。
【請求項７】
前記バイアス電圧は前記抵抗に印加されることを特徴とする請求項３に記載のチューナー回路。
【請求項８】
テレビに含まれるチューナー回路において、
アンテナから受信される信号の直流成分を遮断するように構成された直流遮断部と、
スイッチング素子及び複数の抵抗を含み、前記信号を伝送するためバイアス電圧に応答してターンオン／オフされるように構成されたスイッチング部と、
前記スイッチング部を通過した信号のうち高周波成分だけを通過させるハイパスフィルター部と、
前記ハイパスフィルター部を通過した信号を増幅して出力する低ノイズ増幅器と、を含み、
前記バイアス電圧は使用者により前記テレビがターンオンされる時に印加されることを特徴とするチューナー回路。
【請求項９】
前記スイッチング部は、
前記スイッチング素子が前記直流遮断部と前記ハイパスフィルター部との間に直流連結され、前記複数の抵抗のうち一つは前記直流遮断部と前記スイッチング素子との間に接続され、前記複数の抵抗のうち他の一つは前記スイッチング素子と前記ハイパスフィルター部との間に連結されることを特徴とする請求項８に記載のチューナー回路。
【請求項１０】
前記スイッチング部は、
前記テレビがターンオフされて、前記バイアス電圧が印加されないと、前記アンテナから受信された前記信号を前記ハイパスフィルター部に送信することを遮断するように前記スイッチング素子がターンオフされることを特徴とする請求項９に記載のチューナー回路。
【請求項１１】
前記スイッチング部は、
前記テレビがターンオンされて前記バイアス電圧が印加されると、前記アンテナから受信された前記信号を前記ハイパスフィルター部に送信するように前記スイッチング素子がターンオンされることを特徴とする請求項９または１０に記載のチューナー回路。
【請求項１２】
前記スイッチング素子は逆方向に配置され、前記バイアス電圧は前記複数の抵抗のうち他の一つに印加されることを特徴とする請求項９乃至１１のうちいずれか一つに記載のチューナー回路。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
遊技者が入力操作を行う入力手段を備える遊技機において、
前記入力手段は、遊技者に入力操作される被操作部材を備え、
少なくとも前記被操作部材の移動範囲の一部において、遊技者が所定の直線方向で前記被操作部材を入力操作する場合に、前記所定の直線方向と、遊技者から負荷を与えられる前記被操作部材の所定部の移動方向との間の角度が、入力操作中に増大するよう構成されることにより、入力操作を行った遊技者が受ける負荷を変化可能に構成され、
遊技者が前記被操作部材を前記所定の直線方向で入力操作する場合に、前記被操作部材の移動量が所定量よりも大きくなると遊技者に伝達可能となる所定の振動を発生可能に構成されることを特徴とする遊技機。
【請求項２】
基板ボックスを備えることを特徴とする請求項１記載の遊技機。
【手続補正２】
【補正対象書類名】明細書
【補正対象項目名】０００２
【補正方法】変更
【補正の内容】
【０００２】
パチンコ機などの遊技機において、遊技者が手動操作することで第１位置と第２位置との間を移動する被操作部材を備える遊技機がある（特許文献１）。
【手続補正３】
【補正対象書類名】明細書
【補正対象項目名】０００３
【補正方法】変更
【補正の内容】
【０００３】
【特許文献１】特開２０１４−０１４５７１号公報
【手続補正４】
【補正対象書類名】明細書
【補正対象項目名】０００４
【補正方法】変更
【補正の内容】
【０００４】
しかしながら、上述した従来の遊技機では、被操作部材の操作性に改良の余地があるという問題点があった。本発明は、上記例示した問題点などを解決するためになされたものであり、被操作部材の操作性の良好な遊技機を提供することを目的とする。
【手続補正５】
【補正対象書類名】明細書
【補正対象項目名】０００５
【補正方法】変更
【補正の内容】
【０００５】
この目的を達成するために請求項１記載の遊技機は、遊技者が入力操作を行う入力手段を備えるものであって、前記入力手段は、遊技者に入力操作される被操作部材を備え、少なくとも前記被操作部材の移動範囲の一部において、遊技者が所定の直線方向で前記被操作部材を入力操作する場合に、前記所定の直線方向と、遊技者から負荷を与えられる前記被操作部材の所定部の移動方向との間の角度が、入力操作中に増大するよう構成されることにより、入力操作を行った遊技者が受ける負荷を変化可能に構成され、遊技者が前記被操作部材を前記所定の直線方向で入力操作する場合に、前記被操作部材の移動量が所定量よりも大きくなると遊技者に伝達可能となる所定の振動を発生可能に構成される。
【手続補正６】
【補正対象書類名】明細書
【補正対象項目名】０００６
【補正方法】変更
【補正の内容】
【０００６】
請求項２記載の遊技機は、請求項１記載の遊技機において、基板ボックスを備える。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
請求項１記載の遊技機によれば、被操作部材の操作性を良好にすることができる。
【手続補正９】
【補正対象書類名】明細書
【補正対象項目名】０００９
【補正方法】変更
【補正の内容】
【０００９】
請求項２記載の遊技機によれば、請求項１記載の遊技機の奏する効果に加え、基板ボックスに基板を収容することができる。
【手続補正１０】
【補正対象書類名】明細書
【補正対象項目名】００１０
【補正方法】削除
【補正の内容】
【手続補正１１】
【補正対象書類名】明細書
【補正対象項目名】１０４５
【補正方法】変更
【補正の内容】
【１０４５】
遊技機Ａ１からＡ７，Ｂ１からＢ１７，Ｃ１からＣ２０，Ｄ１からＤ２０，Ｅ１からＥ６，Ｆ１からＦ１０のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機などの遊技機において、遊技者が押し込み操作を行う被操作手段を備え、その被操作手段の押し込み量（変位、速度または強さ等）に対応して、入力を切り替える態様で制御される遊技機がある（例えば、特許文献１：特開２０１０−２５２９４９号公報）。
しかしながら、上述した従来の遊技機では、操作部材の操作時に生じる反力に改良の余地があるという問題点があった。本技術的思想は、上記例示した問題点などを解決するためになされたものであり、操作部材の操作時に生じる反力の良好な遊技機を提供することを目的とする。
＜手段＞
この目的を達成するために技術的思想１の遊技機は、遊技者が入力操作を行う入力手段を備える遊技機において、前記入力手段は、遊技者に入力操作される被操作手段と、その被操作手段に入力操作の逆方向の負荷を与えると共にその負荷を変化可能に構成される負荷変化手段と、を備え、その負荷変化手段は、前記被操作手段に付勢力を伝達する第１付勢手段と、その第１付勢手段に対する前記被操作手段の反対側に前記第１付勢手段に直列配置される第２付勢手段と、前記第１付勢手段および第２付勢手段の間に配置され、前記被操作手段の配置に対して前記第１付勢手段および第２付勢手段が発生させる付勢力を変化可能に形成される付勢力変化手段と、を備え、前記付勢力変化手段は、前記第１付勢手段および第２付勢手段の間に移動可能に配置される中間手段と、前記第１付勢手段および第２付勢手段が直列接続される方向への前記中間手段の移動を規制可能に構成される規制手段と、を備える。
技術的思想２の遊技機は、技術的思想１記載の遊技機において、前記規制手段は、前記中間手段と当接可能に形成される複数の当接手段を備える。
技術的思想３の遊技機は、技術的思想２記載の遊技機において、前記複数の当接手段は、前記中間手段と対向配置される対向配置面の前記中間手段の移動方向の長さを異ならせて形成される。
＜効果＞
技術的思想１記載の遊技機によれば、操作部材の操作時の反力を良好にすることができる。
技術的思想２記載の遊技機によれば、技術的思想１記載の遊技機の奏する効果に加え、中間手段を規制する位置を複数設けることができる。
技術的思想３記載の遊技機によれば、技術的思想２記載の遊技機の奏する効果に加え、各当接手段の性能を異ならせることができる。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
遊技者が入力操作を行う入力手段を備える遊技機において、
前記入力手段は、遊技者に入力操作される被操作部材を備え、
少なくとも前記被操作部材の移動範囲の一部において、遊技者が所定の直線方向で前記被操作部材を入力操作する場合に、前記所定の直線方向と、遊技者から負荷を与えられる前記被操作部材の所定部の移動方向との間の角度が、入力操作中に増大するよう構成されることにより、入力操作を行った遊技者が受ける負荷を変化可能に構成され、
遊技者が前記被操作部材を前記所定の直線方向で入力操作する場合に、前記被操作部材の移動量が所定量よりも大きくなると遊技者に伝達可能となる所定の振動を発生可能に構成されることを特徴とする遊技機。
【請求項２】
基板ボックスを備えることを特徴とする請求項１記載の遊技機。
【手続補正２】
【補正対象書類名】明細書
【補正対象項目名】０００２
【補正方法】変更
【補正の内容】
【０００２】
パチンコ機などの遊技機において、遊技者が手動操作することで第１位置と第２位置との間を移動する被操作部材を備える遊技機がある（特許文献１）。
【手続補正３】
【補正対象書類名】明細書
【補正対象項目名】０００３
【補正方法】変更
【補正の内容】
【０００３】
【特許文献１】特開２０１４−０１４５７１号公報
【手続補正４】
【補正対象書類名】明細書
【補正対象項目名】０００４
【補正方法】変更
【補正の内容】
【０００４】
しかしながら、上述した従来の遊技機では、被操作部材の操作性に改良の余地があるという問題点があった。本発明は、上記例示した問題点などを解決するためになされたものであり、被操作部材の操作性の良好な遊技機を提供することを目的とする。
【手続補正５】
【補正対象書類名】明細書
【補正対象項目名】０００５
【補正方法】変更
【補正の内容】
【０００５】
この目的を達成するために請求項１記載の遊技機は、遊技者が入力操作を行う入力手段を備えるものであって、前記入力手段は、遊技者に入力操作される被操作部材を備え、少なくとも前記被操作部材の移動範囲の一部において、遊技者が所定の直線方向で前記被操作部材を入力操作する場合に、前記所定の直線方向と、遊技者から負荷を与えられる前記被操作部材の所定部の移動方向との間の角度が、入力操作中に増大するよう構成されることにより、入力操作を行った遊技者が受ける負荷を変化可能に構成され、遊技者が前記被操作部材を前記所定の直線方向で入力操作する場合に、前記被操作部材の移動量が所定量よりも大きくなると遊技者に伝達可能となる所定の振動を発生可能に構成される。
【手続補正６】
【補正対象書類名】明細書
【補正対象項目名】０００６
【補正方法】変更
【補正の内容】
【０００６】
請求項２記載の遊技機は、請求項１記載の遊技機において、基板ボックスを備える。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
請求項１記載の遊技機によれば、被操作部材の操作性を良好にすることができる。
【手続補正９】
【補正対象書類名】明細書
【補正対象項目名】０００９
【補正方法】変更
【補正の内容】
【０００９】
請求項２記載の遊技機によれば、請求項１記載の遊技機の奏する効果に加え、基板ボックスに基板を収容することができる。
【手続補正１０】
【補正対象書類名】明細書
【補正対象項目名】００１０
【補正方法】削除
【補正の内容】
【手続補正１１】
【補正対象書類名】明細書
【補正対象項目名】１０４５
【補正方法】変更
【補正の内容】
【１０４５】
遊技機Ａ１からＡ７，Ｂ１からＢ１７，Ｃ１からＣ２０，Ｄ１からＤ２０，Ｅ１からＥ６，Ｆ１からＦ１０のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機などの遊技機において、遊技者が押し込み操作を行う被操作部材を備え、その被操作部材の押し込み量（変位、速度または強さ等）に対応して、入力を切り替える態様で制御される遊技機がある（例えば、特許文献１：特開２０１２−０２４３２２号公報）。
しかしながら、上述した従来の遊技機では、操作部材の操作性に改良の余地があるという問題点があった。本技術的思想は、上記例示した問題点などを解決するためになされたものであり、操作部材の操作性の良好な遊技機を提供することを目的とする。
＜手段＞
この目的を達成するために技術的思想１の遊技機は、遊技者が入力操作を行う入力手段を備えるものであって、前記入力手段は、遊技者に入力操作される被操作部材と、その被操作部材に移動抵抗としての負荷を与えると共にその負荷を変化させる制動手段と、を備え、前記被操作部材が第１速度と、その第１速度よりも大きな第２速度とで変位する場合に、前記第１速度で変位した際に前記被操作部材に前記制動手段から与えられる負荷に比較して、前記第２速度で変位した際に前記被操作部材に前記制動手段から与えられる負荷の方が小さくされる。
技術的思想２の遊技機は、技術的思想１記載の遊技機において、前記制動手段が、付勢力により前記被操作部材に近接する方向に移動する制動補助部材を備え、その制動補助部材は前記被操作部材と当接することにより前記被操作部材に移動抵抗としての負荷を与え、前記被操作部材が初期位置から遠ざかる向きに移動する程、前記制動補助部材と前記被操作部材との当接位置が前記制動補助部材の初期位置から遠ざかる態様で構成される。
技術的思想３の遊技機は、技術的思想２記載の遊技機において、被操作部材が所定の回転軸を中心に回転する態様で構成され、前記制動補助部材が被操作部材の移動経路に沿った側壁部と当接され、その側壁部が、初期位置から前記被操作部材が移動する場合に先に前記制動補助部材と当接する第１当接点に比較して、その後で前記制動補助部材と当接する第２当接点の方が、前記第１当接点を通る前記所定の回転軸を中心とした円よりも内側に配置される。
＜効果＞
技術的思想１記載の遊技機によれば、操作部材の操作性を良好にすることができる。
技術的思想２記載の遊技機によれば、技術的思想１記載の遊技機の奏する効果に加え、制動補助部材により操作性を変化させることができる。
技術的思想３記載の遊技機によれば、技術的思想２記載の遊技機の奏する効果に加え、操作部材の形状から操作性を良好とすることができる。
【手続補正書】
【提出日】令和1年8月29日(2019.8.29)
【手続補正１】
【補正対象書類名】明細書
【補正対象項目名】発明の名称
【補正方法】変更
【補正の内容】
【発明の名称】電子黒板、電子黒板の画像処理方法、及びプログラム
【手続補正２】
【補正対象書類名】明細書
【補正対象項目名】０００１
【補正方法】変更
【補正の内容】
【０００１】
本発明は、電子黒板、電子黒板の画像処理方法、及びプログラムに関する。
【手続補正３】
【補正対象書類名】明細書
【補正対象項目名】０００５
【補正方法】変更
【補正の内容】
【０００５】
上述した課題を解決し、目的を達成するために、本発明は、手、指又は電子ペンの接触を検知可能なディスプレイを有する電子黒板であって、前記ディスプレイに対する手、指又は電子ペンによる接触が２点ある場合、前記２点の接触の位置に応じて前記ディスプレイに表示されている画像を拡大又は縮小し、前記ディスプレイに対する手、指又は電子ペンによる接触が１点ある場合、前記接触の位置に応じて前記ディスプレイ上にストロークを描画する、ことを特徴とする。
【手続補正４】
【補正対象書類名】特許請求の範囲
【補正対象項目名】全文
【補正方法】変更
【補正の内容】
【特許請求の範囲】
【請求項１】
手、指又は電子ペンの接触を検知可能なディスプレイを有する電子黒板であって、
前記ディスプレイに対する手、指又は電子ペンによる接触が２点ある場合、前記２点の接触の位置に応じて前記ディスプレイに表示されている画像を拡大又は縮小し、
前記ディスプレイに対する手、指又は電子ペンによる接触が１点ある場合、前記接触の位置に応じて前記ディスプレイ上にストロークを描画する、
ことを特徴とする電子黒板。
【請求項２】
前記２点の接触の位置の間の距離が離れる場合には、ピンチアウトの操作を行い、
前記２点の接触の位置の間の距離が近づく場合には、ピンチインの操作を行う、
ことを特徴とする請求項１に記載の電子黒板。
【請求項３】
前記ディスプレイ上に、ボタン、リスト、チェックボックス、テキストボックスのうちのいずれか１つを示すユーザインターフェイス画像を少なくとも１つ以上表示し、前記接触の位置が該ユーザインターフェイス画像を表示している領域と異なる場合であって、
前記ディスプレイに対するユーザの手又は指による接触が２点ある場合、前記２点の接触の位置に応じて前記ディスプレイに表示されている画像を拡大又は縮小し、
前記ディスプレイに対するユーザの手又は指による接触が１点ある場合、前記接触の位置に応じて前記ディスプレイ上にストロークを描画する、
ことを特徴とする請求項１または２に記載の電子黒板。
【請求項４】
前記ディスプレイから機種情報を取得する取得手段を備え、
前記機種情報は、少なくとも前記ディスプレイの型番を含む、
ことを特徴とする請求項１ないし３の何れか一項に記載の電子黒板。
【請求項５】
手、指又は電子ペンの接触を検知可能なディスプレイを有する電子黒板の画像処理方法であって、
前記ディスプレイに対する手、指又は電子ペンによる接触が２点ある場合、前記２点の接触の位置に応じて前記ディスプレイに表示されている画像を拡大又は縮小する工程と、
前記ディスプレイに対する手、指又は電子ペンによる接触が１点ある場合、前記接触の位置に応じて前記ディスプレイ上にストロークを描画する工程と、
を含むことを特徴とする電子黒板の画像処理方法。
【請求項６】
手、指又は電子ペンの接触を検知可能なディスプレイを有する電子黒板を制御するコンピュータを、
前記ディスプレイに対する手、指又は電子ペンによる接触が２点ある場合、前記２点の接触の位置に応じて前記ディスプレイに表示されている画像を拡大又は縮小する手段と、
前記ディスプレイに対する手、指又は電子ペンによる接触が１点ある場合、前記接触の位置に応じて前記ディスプレイ上にストロークを描画する手段と、
として機能させるためのプログラム。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
触覚フィードバックを生成する方法であって、
プロセッサによってメディア・コンテンツを受信する工程と、
少なくとも１つの外部パラメータを受信する工程と、
前記少なくとも１つの外部パラメータに基づいてアルゴリズムを決定する工程と、
触覚フィードバックを発生させるように構成された制御信号を、前記メディア・コンテンツ及び前記アルゴリズムに基づいて生成する工程と、
前記制御信号を触覚出力装置に提供する工程と、
を含む方法。
【請求項２】
前記アルゴリズムは、前記メディア・コンテンツの種類に基づいて決定される、
請求項１に記載の方法。
【請求項３】
前記アルゴリズムは、前記少なくとも１つの外部パラメータに基づいて決定される、
請求項１に記載の方法。
【請求項４】
前記アルゴリズムは、ユーザのアクティビティの種類に基づいて決定される、
請求項１に記載の方法。
【請求項５】
前記アルゴリズムは、ユーザからの入力に基づいて決定される、
請求項１に記載の方法。
【請求項６】
前記アルゴリズムは、前記少なくとも１つの外部パラメータに含まれている、
請求項１から請求項５のいずれか１項に記載の方法。
【請求項７】
前記触覚出力装置は、前記アルゴリズムと関連付けられている、
請求項１から請求項６のいずれか１項に記載の方法。
【請求項８】
前記少なくとも１つの外部パラメータがセンサ情報からなる、請求項１から請求項７のいずれか１項に記載の方法。
【請求項９】
前記センサ情報がユーザの生物測定値からなる、請求項８に記載の方法。
【請求項１０】
前記センサ情報が環境の環境測定値からなる、請求項８に記載の方法。
【請求項１１】
前記環境測定値は、高度情報を含む、請求項１０に記載の方法。
【請求項１２】
前記メディア・コンテンツの前記種類が、動画、一連の２以上の静止画像、音声、又はビデオ・ゲーム・コンテンツを含む、請求項２に記載の方法。
【請求項１３】
前記メディア・コンテンツの前記種類を自動的に検出する工程を含む、請求項２に記載の方法。
【請求項１４】
前記メディア・コンテンツの前記種類を自動的に検出する工程が、フォアグラウンドで実行中のアプリケーションを決定する工程を含む、請求項１３に記載の方法。
【請求項１５】
触覚フィードバックを生成するように構成された装置であって、
プロセッサを備え、
当該プロセッサが、
メディア・コンテンツを受信し、
少なくとも１つの外部パラメータを受信し、
前記少なくとも１つの外部パラメータに基づいてアルゴリズムを決定し、
触覚フィードバックを発生させるように構成された制御信号を、前記メディア・コンテンツ及び前記アルゴリズムに基づいて生成し、
前記制御信号を触覚出力装置に提供する
ようにプログラムされた、装置。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
触覚刺激を提供するように構成されたシステムであって、
ユーザの操作ジェスチャに関連する出力信号を生成するように構成されたユーザインタフェースと、
前記ユーザへの触覚刺激を生成するように構成されたアクチュエータと、
コンピュータプログラム命令を実行するように構成された一又は複数のプロセッサと
を備え、前記コンピュータプログラム命令は、
前記ユーザインタフェースによって生成された出力信号を受信し、
前記出力信号に基づいて前記操作ジェスチャの実行を監視し、
生成される前記操作ジェスチャに関連付けられた触覚刺激を決定し、
前記アクチュエータを制御して前記触覚刺激を生成するように構成され、
前記操作ジェスチャは冒頭ポーション、第一の中間ポーション、及び終端ポーションを含み、
前記触覚刺激は前記操作ジェスチャの第一の中間ポーションの実行に応答して決定される第一の刺激を含む、システム。
【請求項２】
前記ユーザインタフェースは、空間における動きから前記操作ジェスチャを検出するように構成されたセンサを含む、請求項１に記載のシステム。
【請求項３】
前記操作ジェスチャの実行に関連付けられた前記触覚刺激は、前記操作ジェスチャが実行されたシステムコンテクストとは別である、請求項１に記載のシステム。
【請求項４】
前記触覚刺激は、前記操作ジェスチャの冒頭ポーションの実行に応答する第二の刺激をさらに含む、請求項１に記載のシステム。
【請求項５】
前記触覚刺激は、前記操作ジェスチャの終端ポーションの実行に応答する第三の刺激をさらに含む、請求項４に記載のシステム。
【請求項６】
前記ユーザインタフェースは、前記操作ジェスチャを受けるように構成されたタッチスクリーンを含む、請求項１に記載のシステム。
【請求項７】
コンピュータプログラム命令を実行するように構成された前記一又は複数のプロセッサはさらに、前記操作ジェスチャの第一の中間ポーションの現在継続中の実行にしたがって前記第一の刺激を調整するように構成された、請求項１に記載のシステム。
【請求項８】
システムにおいて触覚刺激を提供するコンピーュタ実装可能な方法であって、
ユーザの操作ジェスチャに関連する出力信号をユーザインタフェースによって生成する工程と、
前記ユーザインタフェースによって生成された出力信号をプロセッサにおいて受信する工程と、
前記出力信号に基づいて前記ユーザによる前記システムに対する前記操作ジェスチャの実行を監視する工程と、
前記操作ジェスチャの実行に関連付けられた触覚刺激を決定する工程と、
アクチュエータを制御して前記触覚刺激を生成する工程と
を備え、
前記操作ジェスチャは冒頭ポーション、第一の中間ポーション、及び終端ポーションを含み、
前記触覚刺激は前記操作ジェスチャの第一の中間ポーションの実行に応答して決定される第一の刺激を含む、方法。
【請求項９】
前記ユーザインタフェースのセンサによって、空間における動きから前記操作ジェスチャを検出する工程をさらに含む、請求項８に記載の方法。
【請求項１０】
前記操作ジェスチャの実行に関連付けられた前記触覚刺激が、前記操作ジェスチャが実行されたシステムコンテクストとは別であることを決定する工程をさらに備える、請求項８に記載の方法。
【請求項１１】
前記触覚刺激が、前記操作ジェスチャの冒頭ポーションの実行に応答する第二の刺激を含むことを決定する工程をさらに備える、請求項８に記載の方法。
【請求項１２】
前記触覚刺激が、前記操作ジェスチャの終端ポーションの実行に応答する第三の刺激を含むことを決定する工程をさらに備える、請求項１１に記載の方法。
【請求項１３】
タッチスクリーンを含むユーザインタフェースにおいて前記操作ジェスチャを受ける工程をさらに備える、請求項８に記載の方法。
【請求項１４】
前記操作ジェスチャの第一の中間ポーションの現在継続中の実行にしたがって前記第一の刺激を調整する工程をさらに備える、請求項８に記載の方法。
【手続補正書】
【提出日】令和1年6月19日(2019.6.19)
【手続補正１】
【補正対象書類名】特許請求の範囲
【補正対象項目名】請求項１
【補正方法】変更
【補正の内容】
【請求項１】
ハウジング本体と、該ハウジング本体の後方から該ハウジング本体内に挿入する端子ホルダと、該端子ホルダの前端に連結され、前記端子ホルダの挿入する方向に直交する横方向に移動自在の係止板部と、前記端子ホルダと共に前記ハウジング本体内に挿入した前記係止板部を、前記横方向に移動させる操作部材とを備え、係止片を有する複数個の接続端子を内装可能とする電気コネクタであって、
前記ハウジング本体には、後部に前記端子ホルダを保持するホルダ保持部が設けられていると共に、前部に前記接続端子の接続部を保持する端子保持部が設けられ、
前記端子ホルダの後部には、前記接続端子をそれぞれ挿入する複数個の開孔が設けられ、
前記係止板部には、基板部に前記接続端子の係止片を通過させる挿通溝が形成され、前記基板部の後部に前記端子ホルダに対して、前記横方向に移動可能に連結する挿込板が設けられ、前記基板部の一部に前記操作部材による前記横方向に移動のための被操作端が設けられ、
前記操作部材には、前記ハウジング本体の端子保持部に設けられた押込口から押し込んで前記係止板部の被操作端に作用する操作部が設けられ、
前記操作部材の操作部により、前記端子保持部において前記係止板部を前記横方向に移動させ、前記接続端子の係止片に対し前記係止板部により前記係止片の後抜けを規制することを特徴とする電気コネクタ。
【手続補正２】
【補正対象書類名】特許請求の範囲
【補正対象項目名】請求項１１
【補正方法】変更
【補正の内容】
【請求項１１】
ハウジング本体と、該ハウジング本体の後方から該ハウジング本体内に挿入する端子ホルダと、該端子ホルダの前端に連結され、前記端子ホルダの挿入する方向に直交する横方向に移動自在の係止板部と、前記端子ホルダと共に前記ハウジング本体内に挿入した前記係止板部を、前記横方向に移動させる操作部材とを備え、係止片を有する複数個の接続端子を内装可能とする電気コネクタの係止方法において、
前記係止板部は後部を前記端子ホルダに対し横方向に移動可能に連結し、前記接続端子を挿入するに際して、前記接続端子に設けられた係止片を、前記係止板部に形成した挿通溝を前進させて挿入し、前記接続端子の挿入後に、前記ハウジング本体に設けた押込口から前記操作部材を前記ハウジング本体内に押し込んで、前記係止板部を前記横方向に移動させることにより前記接続端子の係止片の後部を係止して、前記接続端子の後方への移動を規制することを特徴とする電気コネクタ内の接続端子の係止方法。
【手続補正３】
【補正対象書類名】明細書
【補正対象項目名】００１０
【補正方法】変更
【補正の内容】
【００１０】
上記目的を達成するための本発明に係る電気コネクタは、ハウジング本体と、該ハウジング本体の後方から該ハウジング本体内に挿入する端子ホルダと、該端子ホルダの前端に連結され、前記端子ホルダの挿入する方向に直交する横方向に移動自在の係止板部と、前記端子ホルダと共に前記ハウジング本体内に挿入した前記係止板部を、前記横方向に移動させる操作部材とを備え、係止片を有する複数個の接続端子を内装可能とする電気コネクタであって、前記ハウジング本体には、後部に前記端子ホルダを保持するホルダ保持部が設けられていると共に、前部に前記接続端子の接続部を保持する端子保持部が設けられ、前記端子ホルダの後部には、前記接続端子をそれぞれ挿入する複数個の開孔が設けられ、前記係止板部には、基板部に前記接続端子の係止片を通過させる挿通溝が形成され、前記基板部の後部に前記端子ホルダに対して、前記横方向に移動可能に連結する挿込板が設けられ、前記基板部の一部に前記操作部材による前記横方向に移動のための被操作端が設けられ、前記操作部材には、前記ハウジング本体の端子保持部に設けられた押込口から押し込んで前記係止板部の被操作端に作用する操作部が設けられ、前記操作部材の操作部により、前記端子保持部において前記係止板部を前記横方向に移動させ、前記接続端子の係止片に対し前記係止板部により前記係止片の後抜けを規制することを特徴とする。
【手続補正４】
【補正対象書類名】明細書
【補正対象項目名】００１１
【補正方法】変更
【補正の内容】
【００１１】
また、本発明に係る接続端子の係止方法は、ハウジング本体と、該ハウジング本体の後方から該ハウジング本体内に挿入する端子ホルダと、該端子ホルダの前端に連結され、前記端子ホルダの挿入する方向に直交する横方向に移動自在の係止板部と、前記端子ホルダと共に前記ハウジング本体内に挿入した前記係止板部を、前記横方向に移動させる操作部材とを備え、係止片を有する複数個の接続端子を内装可能とする電気コネクタの係止方法において、前記係止板部は後部を前記端子ホルダに対し横方向に移動可能に連結し、前記接続端子を挿入するに際して、前記接続端子に設けられた係止片を、前記係止板部に形成した挿通溝を前進させて挿入し、前記接続端子の挿入後に、前記ハウジング本体に設けた押込口から前記操作部材を前記ハウジング本体内に押し込んで、前記係止板部を前記横方向に移動させることにより前記接続端子の係止片の後部を係止して、前記接続端子の後方への移動を規制することを特徴とする。
【手続補正５】
【補正対象書類名】明細書
【補正対象項目名】００１６
【補正方法】変更
【補正の内容】
【００１６】
電気コネクタは、ハウジング本体１と、このハウジング本体１の後方から該ハウジング本体１内に挿入する端子ホルダ２と、この端子ホルダ２の前端に連結され、端子ホルダ２を挿入する方向と直交する横方向に移動自在の係止板部３と、ハウジング本体１内で係止板部３を横方向に移動させる操作部材４とから構成されている。
【手続補正６】
【補正対象書類名】図面
【補正対象項目名】図１２
【補正方法】変更
【補正の内容】
【図１２】
2019096548.tif 000001